(57)【特許請求の範囲】
【請求項１】
かご床から立ち上がった幅木台の取付面上に壁パネルを結合金具で結合するための組立治具であって、
かご床上に置かれる基台部と、
上記基台部に設けられて、上記かご床上から幅木台の取付面上にまで延びて、壁パネルを案内する傾斜面を持つ案内部とを備えたことを特徴とするエレベータのかご室パネル組立治具。
【請求項２】
上記案内部が、上記幅木台側の端部に、壁パネルを当接させて壁パネルのそれ以上の移動を阻止するストッパを備えていることを特徴とする請求項１に記載のエレベータのかご室パネル組立治具。
【請求項３】
上記案内部の上記傾斜面に設けられて壁パネルに設けられた結合金具を案内する案内溝を備えたことを特徴とする請求項１あるいは２に記載のエレベータのかご室パネル組立治具。
【請求項４】
幅木台の取付面に壁パネルの結合金具を受け入れる結合穴が設けられており、
上記案内部が、上記案内溝の上記幅木台側の端部で、幅木台の結合穴に整列する位置に、壁パネルの結合金具のそれ以上の移動を阻止するストッパを備えていることを特徴とする請求項３に記載のエレベータのかご室パネル組立治具。
【請求項５】
上記基台部に設けられて上記幅木台に当接して上記基台部の上記幅木台に対する位置決めをする位置決め部を備えたことを特徴とする請求項１〜４のいずれか一項に記載のエレベータのかご室パネル組立治具。
【請求項６】
上記基台部および上記案内部が、一枚の金属板から折り曲げ加工されたものであることを特徴とする請求項１〜５のいずれか一項に記載のエレベータのかご室パネル組立治具。
【請求項７】
かご床から立ち上がった幅木台の取付面上に壁パネルを結合金具で結合するための治具であって、かご床上に置かれる基台部と、上記基台部に設けられて、上記かご床上からから幅木台の取付面上にまで延びて、壁パネルを案内する傾斜面を持つ案内部とを備えたエレベータのかご室パネル組立治具を用いてかご室パネルを組み立てるために、
上記組立治具の上記基台部をかご床上に置き、上記案内部の上記幅木台側の端部を幅木台上に置いて上記かご床と上記幅木台の上記取付面とを上記傾斜面で接続し、
壁パネルを上記組立治具の傾斜面に沿って移動させて上記幅木台の取付面上に運び、
上記壁パネルと上記幅木台とを結合金具で結合し、
上記組立治具を撤去することを特徴とするエレベータのかご室パネル組立方法。
【発明の詳細な説明】
【技術分野】
【０００１】
本発明はエレベータのかご室パネル組立治具および方法に関し、特にかご床から立ち上がった幅木台の取付面上に壁パネルを結合金具で結合するために用いる組立治具および組立方法に関するものである。
【背景技術】
【０００２】
従来、エレベータのかご室の組立作業において、かご床から立ち上がった幅木の幅木受け部材の取付面上に壁パネルを結合金具で結合するためは、かご床から例えば７５ｍｍの高さがあり、比較的幅の狭い幅木受け部材の取付面上に壁パネルを持ち上げる必要があった。取付面上に持ち上げた後、壁パネルあるいは幅木に予め取り付けられた取付具を、幅木あるいは壁パネルに設けた係合切り込みに位置あわせをして挿入し、取付具で結合するのである（例えば特許文献１参照）。
【０００３】
【特許文献１】特開２０００−２５５９４３号公報
【発明の開示】
【発明が解決しようとする課題】
【０００４】
このようなエレベータのかご室パネル組立方法においては、大型で重量物である壁パネルを幅木受け部材の取付面上に持ち上げる作業自体が困難であった。また例えば壁パネルの取付具と幅木の係合切り込みとの位置合わせ作業も壁パネルが大型で重量物であるため困難であった。更に、係合切り込みは、壁パネルの万一の昇降路側への脱落が起こらぬように、かご室の外側に向かって開いた切り込みとされているため、壁パネルの位置合わせ作業と取付具の挿入作業はかご室の内側から行い、取付具の締めつけ作業はかご室の外側から行う必要があった。
【０００５】
壁パネルあるいは幅木に取付具を予め取り付けないで組立作業をする場合には、共に比較的幅の狭い壁パネルと幅木とを幅方向に位置あわせする必要があり、万一壁パネルが幅木の取付面から外れてしまうと昇降路がわに落下してしまう虞もあった。また取付具の係合のために切り込みでなく貫通孔が設けられている場合には、壁パネルと幅木の両者の貫通孔を互いに位置合わせして整列させねばならず、この作業も困難であった。
【０００６】
従ってこの発明の目的は、エレベータのかご室パネル組立作業を容易にするエレベータのかご室パネル組立治具および組立方法を提供することである。
【課題を解決するための手段】
【０００７】
この発明によれば、エレベータのかご室パネル組立治具は、かご床から立ち上がった幅木台の取付面上に壁パネルを結合金具で結合するための治具であって、かご床上に置かれる基台部と、上記基台部に設けられて、上記かご床上から幅木台の取付面上にまで延びて、壁パネルを案内する傾斜面を持つ案内部とを備えたことを特徴とするものである。
【０００８】
またこの発明によれば、エレベータのかご室パネル組立方法は、かご床から立ち上がった幅木台の取付面上に壁パネルを結合金具で結合するための治具であって、かご床上に置かれる基台部と、上記基台部に設けられて、上記かご床上からから幅木台の取付面上にまで延びて、壁パネルを案内する傾斜面を持つ案内部とを備えたエレベータのかご室パネル組立治具を用いてかご室パネルを組み立てるために、上記組立治具の上記基台部をかご床上に置き、上記案内部の上記幅木台側の端部を幅木台上に置いて上記かご床と上記幅木台の上記取付面とを上記傾斜面で接続し、壁パネルを上記組立治具の傾斜面に沿って移動させて上記幅木台の取付面上に運び、上記壁パネルと上記幅木台とを結合金具で結合し、上記組立治具を撤去することを特徴とするものである。
【発明の効果】
【０００９】
この発明のエレベータのかご室パネル組立治具および組立方法によれば、エレベータのかご室パネル組立作業を容易にすることができる。
【発明を実施するための最良の形態】
【００１０】
実施の形態１．
図１〜図１２は、この発明のエレベータのかご室パネル組立治具および組立方法の一実施形態を示す図である。これらの図のうち、図１はエレベータのかご室を示す概略平面図であり、図２は図１の円ＩＩで囲んだ部分の部分拡大図であり、図３は図２の矢印ＩＩＩの方向に見た正面図であり、図４は図２の矢印ＩＶの方向に見た側面図である。また図５は図１の円Ｖで囲んだ部分の部分拡大図であり、図６は図５の矢印ＩＩＩの方向に見た正面図であり、図７は図５の矢印ＩＶの方向に見た側面図である。また図８は壁パネルとその結合金具を示す部分平面図であり、図９はこの発明のエレベータのかご室パネル組立治具を用いて壁パネルを持ち上げる方法を示す側面図である。更に図１０は図１の円Ｘで囲んだ部分の部分拡大図であり、図１１は図１０の矢印ＸＩの方向に見た正面図であり、図１２は図１０の矢印ＸＩＩの方向に見た側面図である。
【００１１】
図１において、エレベータのかご室１はかご床２と壁パネル３と図示してない天井とにより形成され、三方枠４と敷居５で囲まれた出入口６を備えている。かご床２上には床タイル７（図４参照）を敷くのが一般的である。
【００１２】
かご床２は、図１〜４に示されているようにほぼ矩形の平面形の主面部８と、かご室１の開口部以外の三方に設けられて主面部８から直角に上方に延びた幅木台９とを備えている。それぞれの幅木台９は、主面部８からに直角に上方に折り曲げられた立ち上がり部１０と、立ち上がり部１０から内側に直角に折り曲げられたフランジ部１１とを備え、フランジ部１１の上面が壁パネル３を取り付けるための取付面１２である。それぞれの壁パネル３は、各辺にフランジ部１３と折り返し部１４とが設けられていて、底辺のフランジ部１３には結合ナット１５と結合ボルト１６からなる結合金具１７のうちの結合ナット１５が固着されている。
【００１３】
図１の左側の壁面は、かご床２の幅木台９の取付面１２に壁パネル３が結合金具１７によって結合されている組立作業が完了した状態で示してある。これに対して図１の右側の壁面は、かご床２の幅木台９に壁パネル３を結合するために、この発明の組立治具１８を幅木台９に沿って配置して壁パネル３を幅木台９の取付面１２上に乗せる準備ができた状態で示してある。また図１の上側の壁面はこの発明の組立治具１８を用いて壁パネル３を幅木台９上に乗せて結合金具１７によって結合してあるが組立治具１８はまだ撤去されていない状態で示してある。
【００１４】
図２〜図４においては、かご床２と壁パネル３との組立作業が完了した状態が示されており、かご床２から延びた幅木台９のフランジ部１１には壁パネル３のフランジ部１３を締結するための結合穴１９（図５参照）が形成されていて結合金具１７の結合ボルト１６のネジ部分を受け入れることができるようにしてあり、結合ボルト１６は、壁パネル３の下縁に取り付けられた結合金具１７のフランジ付きの結合ナット１５にねじ係合していて、壁パネル３が幅木台９に締結されている。
【００１５】
図５〜図７においては、幅木台９の取付面１２上に壁パネル３を結合金具１７で結合するための組立治具１８が、かご床２上で幅木台９に沿って置かれている。組立治具１８は、一枚の金属板から折り曲げ加工された部材である。組立治具１８は、かご床２上に置かれる矩形の平板状の基台部２０と、基台部２０の一端に設けられて、かご床２上に設置されたとき、かご床２上から幅木台９の取付面１２上にまで、幅木台９の高さ（例えば７５ｍｍ）だけあるいは幅木台９の高さを僅かに越える高さだけ延びていて、上面に壁パネル３を案内するための傾斜面２１を持つ案内部２２とを備えている。案内部２２の先端（上端）には、かご床２に対して平行で、基台部２０の他端を越えて延びた水平部２３が設けられている。組立治具１８はまた、基台部２０の他端に設けられて、幅木台９の立ち上がり部１０に当接して基台部２０の幅木台９に対する位置決めをする位置決め部２４を備えている。この位置決め部２４も水平部２３も板金加工により形成された折り曲げ部分である。
【００１６】
組立治具１８の案内部２２には、傾斜面２１に設けられて、組み立てるべき壁パネル３に設けられた結合金具１７を受け入れて結合金具１７の結合ナット１５のフランジ１５ａを案内する案内溝２５が設けられている。壁パネル３は、図示の例では図８に示すように、壁パネル３の底辺のフランジ部１３に固着された結合ナット１５を持つものであり、結合ナット１５のフランジ１５ａはフランジ部１３の底面から例えば５ｍｍの高さだけ突出した突起となっているので、図９に示すように、この結合ナット１５のフランジ１５ａを案内溝２５内に挿入して案内溝２５に沿って案内しつつ移動させることができる。
【００１７】
案内部２２の案内溝２５は、幅が結合ナット１５のフランジ１５ａを丁度受け入れてその中で移動できるようにする大きさであり、傾斜面２１のかご床２に近い低い位置から始まっており、傾斜面２１を通り過ぎて水平部２３にまで延びていて、幅木台９の取付面１２に設けられ、結合時に結合金具１７の結合ボルト１６を受け入れるための結合穴１９に整列した位置に終端が形成されていて、案内溝２５に沿って案内されつつ移動してきた結合金具１７の結合ナット１５がそれ以上移動できないようにされている。換言すれば、組立治具１８の案内部２２は、案内溝２５の幅木台９側の端部である水平部２３に、幅木台９の結合穴１９に整列する位置に、壁パネル３の結合ナット１５のそれ以上の移動を阻止する終端すなわちストッパ２６を備えている。
【００１８】
案内溝２５の終端は、そこからほぼ直角に延びた逃げ溝２７に連通していて、結合ナット１５のフランジ１５ａが逃げ溝２７を通って組立治具１８から離脱できるようにしてある。図示の例では逃げ溝２７はほぼ１／４の円弧状で、案内溝２５と平行な方向に開いた出口２８を持っている。
【００１９】
図示の例では水平部２３は壁パネル３の取付面１２よりも僅かに上方に離れていて、間に間隙２９が形成されている。この間隙２９は、後に説明する組立作業の最後に組立治具１８を壁パネル３の下から引き抜く際に、引き抜き作業を容易にするものである。
【００２０】
このようなエレベータのかご室パネル組立治具を用いて、かご床２から立ち上がった幅木台９の取付面１２上に壁パネル３を結合するためには、先ず図１の右側壁面、および図５〜７に示すように、組立治具１８の基台部２０をかご床２上に置く。このとき、案内部２２の幅木台９の側の端部である水平部２３を幅木台９の取付面１２上に置き、幅木台９の結合穴１９と組立治具１８の案内溝２５の終端であるストッパ２６とを芯合わせをする。これによって、かご床２と幅木台９の取付面１２とが組立治具１８の案内部２２の傾斜面２１によって接続される。
【００２１】
次に、かご室１内にあらかじめ用意してあった壁パネル３を作業員の手で持ち上げ、図９の左側の想像線で示すように、組立治具１８の傾斜面２１の案内溝２５の低い部分に結合ナット１５のフランジ１５ａを係合させて組立治具１８上に乗せる。この状態の壁パネル３は案内部２２の傾斜面２１で案内溝２５によって案内されているので、作業員の比較的小さな力によって所定の経路を通って幅木台９の取付面１２に向かって上方に移動させることができる。また、図９で右側の想像線で示すような中間位置で壁パネル３の移動を一旦止めても、作業員が壁パネル３が倒れぬ程度の僅かな力を与えるだけでその位置に保持しておくことができ、移動作業が容易である。
【００２２】
壁パネル３を更に傾斜面２１に沿って上昇させて、幅木台９に近い位置に達したときには、組立治具１８の案内部２２が壁パネル３の重さによって撓んで、間隙２９分だけ下がり、水平部２３の下面が幅木台９の取付面１２に接触した状態となっている。この状態では、壁パネル３の結合ナット１５のフランジ１５ａの下端は取付面１２よりも下方にあり、この位置からは壁パネル３を直ちに図９で右方向に移動させて幅木台９の取付面１２上に乗せることができない。
【００２３】
このため、この状態の壁パネル３を組立治具１８の案内部２２の弾性を利用して作業員の手で少なくとも間隙２９の高さ分だけ持ち上げて、結合ナット１５のフランジ１５ａを幅木台９の取付面１２よりも高くしてから、結合ナット１５のフランジ１５ａが案内溝２５の終端であるストッパ２６に当たるまで移動させる。次に壁パネル３を持ち上げていた力を緩めて降ろし、図９の実線で示すように、結合ナット１５のフランジ１５ａの下端面が取付面１２に当接して支持された状態にする。
【００２４】
図９の実線で示す位置では、壁パネル３の結合ナット１５のフランジ１５ａが、案内溝２５とストッパ２６とで幅木台９の結合穴１９に対して位置決めされ、互いに整列した関係に案内されるので、容易に結合ボルト１６のネジ部を結合ナット１５に螺合させて互いに締結して、壁パネル３とかご床２の幅木台９とを互いに結合することができる。
【００２５】
図１の上側壁面および図１０〜図１２には、図５〜図７に示す状態の壁パネル３と幅木台９において、結合金具１７による結合が終わった状態を示してある。即ち、図５〜図７において、壁パネル３の結合ナット１５に幅木台９側から結合ボルト１６を挿入して締結すると、結合ナット１５のフランジ１５ａと結合ボルト１６の頭部との間に幅木台９のフランジ部１１が挟持される。このとき組立治具１８の案内部２２には力が掛かっていないので、水平部２３と幅木台９のフランジ部１１との間には間隙２９形成され、組立治具１８を図１２で左方向に引き抜くことができ、かご床２から撤去する。
【００２６】
この組立治具１８の撤去作業によって組立作業が完了して、図１の左側壁部分および図２〜図４に示す作業完了状態となる。
【００２７】
実施の形態２．
図１３のエレベータのかご室パネル組立治具においては、組立治具１８の案内部２２、すなわち幅木台９の側の端部に、水平部２３から上方に折り曲げられた立ち上がり部分であるストッパ３０を持っている。ストッパ３０は、壁パネル３の折り返し部１４を当接させて壁パネル３のそれ以上の移動を阻止するものであり、壁パネル３の幅木台９のフランジ部１１上の幅方向の位置決めをすることができる。
【００２８】
ストッパ３０は先端で折り返されて重ねられて二重になって折り返し部３１を持ち、折り返し部３１はストッパ３０からさらに水平部２３の下面に沿って延びてスペーサ部３２となっている。スペーサ部３２の厚さは、水平部２３と幅木台９のフランジ部１１との間の距離（間隙２９）が、結合ナット１５のフランジ１５ａの厚さ以上にする厚さである。スペーサ部３２にも案内溝２５の延長部分が形成されている。この構成によれば、組立治具１８から幅木台９への壁パネル３の受け渡しの際に、結合ナット１５のフランジ１５ａの底面が幅木台９の取付面１２上に滑らかに移動できる。その他の構成は先に説明し図示したものと同様である。
【００２９】
このようなエレベータのかご室パネル組立治具を用いれば、大型で重量物である壁パネルを幅木受け部材の取付面上に持ち上げる作業を、組立治具１８の斜面２１を利用して行うことができるので、組立作業が容易になる。また例えば壁パネルの取付具と幅木の係合切り込みとの位置合わせ作業あるいは結合金具の係合穴との整列作業も、傾斜面に設けた案内溝２５を利用して行うことができるので、容易になった。更に、組立治具がストッパ２６あるいは３０を備えているため、壁パネル３が移動し過ぎて昇降路側への脱落が起こることがない。また、壁パネルの組立作業は全てかご室の内側から行うことができる。
【００３０】
以上に説明した実施の形態は例であって、この発明のエレベータのかご室パネル組立治具および組立方法には様々な変形および変更が可能であり、様々な特徴を適宜選択的に組み合わせて使用することもできる。例えば、結合ナット１５等の壁パネル３の下縁から突出した部品を持たない壁パネル３を組立る場合には、案内溝２５は不要であり、図１３に示す立ち上がり部分のストッパ３０が有用である。また、組立治具の案内部２２が壁パネル３の重さで撓むのを防ぐために、案内部２２を補強したり、基台部２０あるいは立ち上がり部２４との間に支持構造を設けたりすることができる。
【図面の簡単な説明】
【００３１】
【図１】この発明のエレベータのかご室パネル組立治具および組立方法を用いたエレベータのかご室を示す概略平面図である。
【図２】図１の円ＩＩで囲んだ部分の部分拡大図である。
【図３】図２の矢印ＩＩＩの方向に見た正面図である。
【図４】図２の矢印ＩＶの方向に見た側面図である。
【図５】図１の円Ｖで囲んだ部分の部分拡大図である。
【図６】図５の矢印ＩＩＩの方向に見た正面図である。
【図７】図５の矢印ＩＶの方向に見た側面図である。
【図８】壁パネルとその結合金具を示す部分平面図である。
【図９】この発明のエレベータのかご室パネル組立治具を用いて壁パネルを持ち上げる方法を示す側面図である。
【図１０】図１の円Ｘで囲んだ部分の部分拡大図である。
【図１１】図１０の矢印ＸＩの方向に見た正面図である。
【図１２】図１０の矢印ＸＩＩの方向に見た側面図である。
【図１３】この発明のエレベータのかご室パネル組立治具の別の例を示す図１２と同様の側面図である。
【符号の説明】
【００３２】
１  加熱コイル、２  かご床、３  壁パネル、９  幅木台、１２  取付面、１７  結合金具、１８  組立治具、１９  結合穴、２０  基台部、２１  傾斜面、２２  案内部、２４  位置決め部、２５  案内溝、２６、３０  ストッパ。
【図１】
0005089488.tif 000002
【図２】
0005089488.tif 000003
【図３】
0005089488.tif 000004
【図４】
0005089488.tif 000005
【図５】
0005089488.tif 000006
【図６】
0005089488.tif 000007
【図７】
0005089488.tif 000008
【図８】
0005089488.tif 000009
【図９】
0005089488.tif 000010
【図１０】
0005089488.tif 000011
【図１１】
0005089488.tif 000012
【図１２】
0005089488.tif 000013
【図１３】
0005089488.tif 000014